(57)【特許請求の範囲】
【請求項１】
両側部に内部側嵌合溝及び外部側嵌合溝を設け、コンクリート構造物の壁部又はその柱際の接合部分に設けられる垂直スリットに対し、内部側型枠に釘止めされて前記内部側嵌合溝内に嵌合される内部側目地棒において、
前記内部側嵌合溝の断面形状と略相似形状を為す中空状の内部側目地棒本体と、
前記内部側目地棒本体の外側面に設けられ、前記垂直スリットの周囲に打設されるコンクリートの固化体内に埋設される抜け止め部と、
前記内部側嵌合溝に対する前面側の壁面に設けられ、前記釘が打ち込まれる前部釘案内部と、
前記内部側嵌合溝に対する後面側の壁面に設けられ、前記前部釘案内部から打ち込まれる前記釘を挿通し前記後面側の壁面から前記釘の先端部を突出させる後部釘案内部と
を備え、
前記内部側目地棒本体は、前記内部側型枠の取り外し後に前記コンクリートの固化体内に残置されると共に前記内部側型枠の取り外し後に形成される内部側のコンクリート壁面に露出するように、前記内部側嵌合溝に対する後面側の壁面を平坦な面形状とし、
前記抜け止め部は、前記内部側型枠を取り外す際に抵抗体となって前記垂直スリットの内部側嵌合溝内に嵌合された状態で前記内部側目地棒を前記コンクリートの固化体内に残置させるように、前記内部側嵌合溝と前記内部側嵌合溝に対する後面側の壁面との間に設けられ、
前記後部釘案内部は、前記内部側目地棒本体の前記内部側嵌合溝に対する後面側の壁面の内壁面上に設けられ、前記内部側目地棒本体の後面側の壁面の内壁面の全長に亘って形成した２本の突条間に形成される
ことを特徴とする垂直スリット用の内部側目地棒。
【請求項２】
請求項１記載の垂直スリット用の内部側目地棒において、
前記内部側目地棒本体は、硬質塩化ビニール樹脂で成形され、
前記前部釘案内部は、前記内部側目地棒本体の前面側の壁面上に一体化される軟質塩化ビニール樹脂で構成され、
前記後部釘案内部は、前記内部側目地棒本体の後面側の壁面の内壁面上に一体化される軟質塩化ビニール樹脂で構成され
ていることを特徴とする垂直スリット用の内部側目地棒。
【請求項３】
請求項１又は請求項２記載の垂直スリット用の内部側目地棒において、
前記抜け止め部は、前記内部側目地棒本体の対向する外側壁面からそれぞれ外方へ突出するヒレ状の突条である
ことを特徴とする垂直スリット用の内部側目地棒。
【請求項４】
請求項１乃至請求項３の何れか記載の前記内部側目地棒の前部釘案内部側から前記後部釘案内部に向かって釘を打ち込み前記後部釘案内部の後面側の壁面から前記釘の先端部を突出させて前記内部側目地棒を釘付けして成る内部側型枠を、コンクリート構造物の壁部又はその柱際の接合部分に設けられた垂直スリットの内部側嵌合溝に嵌合する工程と、
前記垂直スリットの外部側嵌合溝に、外部側目地棒を釘止めして成る外部側型枠を嵌合する工程と、
前記内部側型枠と前記外部側型枠との間にコンクリートを打設する工程と、
前記コンクリートの固化後に、前記外部側目地棒と共に前記外部側型枠を取り外す工程と、
前記コンクリートの固化後に、前記内部側目地棒を残して前記内部側型枠を取り外す工程と、
前記内部側目地棒の後面側の壁面から突出する前記釘の先端部を切除する工程と
を有することを特徴とする垂直スリット施工方法。
【請求項５】
請求項４記載の垂直スリット施工方法において、
前記内部側目地棒を前記内部側型枠に固定する釘は、プラスチック製である
ことを特徴とする垂直スリット施工方法。
【発明の詳細な説明】
【技術分野】
【０００１】
本発明は、コンクリート構造物の壁部又はその柱際の接合部分に設けられる垂直スリットの嵌合溝に嵌合される内部側目地棒及びこの内部側目地棒を使用する垂直スリット施工方法に関する。
【背景技術】
【０００２】
従来、コンクリート構造物のコンクリート壁と柱や、壁と梁との境界などに設けるスリット目地を形成するために垂直スリットが設けられている（例えば、特許文献１，２，３参照）。
【０００３】
図１０は、垂直スリット５４を使用する施工例を示す。
【０００４】
施工前に、外部側型枠５０に木製の外部側目地棒５１を釘止めし、内部側型枠５２に木製の内部側目地棒５３を釘止めする。
【０００５】
先ず、図１０（１）に示すように、垂直スリット５４の外部側嵌合溝５５に外部側目地棒５１を嵌合し、外部側型枠５０のセパレータ５７を利用してＶ字金具５８にて垂直スリット５４を固定する。
【０００６】
次に、図１０（２）に示すように、垂直スリット５４の内部側嵌合溝５６に内部側目地棒５３を嵌合する。
【０００７】
次に、図１０（３）に示すように、外部側型枠５０と内部側型枠５２との間にコンクリート５９を打設する。
【０００８】
次に、図１０（４）に示すように、コンクリート５９の固化後に外部側型枠５０と内部側型枠５２とを解体する。
【０００９】
次に、図１０（５）に示すように、垂直スリット５４の外部側嵌合溝５５を含む外部側目地部６０内にシーリング材６１を充填する。
【００１０】
次に、図１０（６）に示すように、垂直スリット５４の内部側嵌合溝５６を含む内部側目地部６２内にシーリング材やモルタル等６３を充填する。
【００１１】
最後に、図１０（７）に示すように、内部側の壁面６４にウレタンフォーム６５を吹き付ける。
【００１２】
以上によって、スリット目地を施工することができる。
【先行技術文献】
【特許文献】
【００１３】
【特許文献１】特開平１０−３０３３８号公報
【特許文献２】特開２０００−３４５７３３号公報
【特許文献３】特開２００７−１８６９２５号公報
【発明の概要】
【発明が解決しようとする課題】
【００１４】
しかし、図１０に示す従来のスリット施工方法では、型枠の解体時に、内部側目地棒５３が残りやすいという問題があり、内部側目地棒５３の取り外しが面倒であるという問題があった。
【００１５】
また、図１０（６）に示すように、最終仕上げの前に、内部側目地部６２内に、例えば、シーリング材やモルタル等６３を充填していた。
【００１６】
本発明は、斯かる従来の問題点を解決するために為されたもので、その目的は、スリット目地施工時に垂直スリットの嵌合溝に嵌合した状態で埋め残すことが可能でかつシーリング材やモルタル等の充填を行うことなくスリット目地を構成することが可能な垂直スリット用の内部側目地棒及びこの垂直スリット用の内部側目地棒を使用する垂直スリット施工方法を提供することにある。
【課題を解決するための手段】
【００１７】
請求項１に係る発明は、両側部に内部側嵌合溝及び外部側嵌合溝を設け、コンクリート構造物の壁部又はその柱際の接合部分に設けられる垂直スリットに対し、内部側型枠に釘止めされて前記内部側嵌合溝内に嵌合される内部側目地棒において、前記内部側嵌合溝の断面形状と略相似形状を為す中空状の内部側目地棒本体と、前記内部側目地棒本体の外側面に設けられ、前記垂直スリットの周囲に打設されるコンクリートの固化体内に埋設される抜け止め部と、前記内部側嵌合溝に対する前面側の壁面に設けられ、前記釘が打ち込まれる前部釘案内部と、前記内部側嵌合溝に対する後面側の壁面に設けられ、前記前部釘案内部から打ち込まれる前記釘を挿通し前記後面側の壁面から前記釘の先端部を突出させる後部釘案内部とを備え、前記内部側目地棒本体は、前記内部側型枠の取り外し後に前記コンクリートの固化体内に残置されると共に前記内部側型枠の取り外し後に形成される内部側のコンクリート壁面に露出するように、前記内部側嵌合溝に対する後面側の壁面を平坦な面形状とし、前記抜け止め部は、前記内部側型枠を取り外す際に抵抗体となって前記垂直スリットの内部側嵌合溝内に嵌合された状態で前記内部側目地棒を前記コンクリートの固化体内に残置させるように、前記内部側嵌合溝と前記内部側嵌合溝に対する後面側の壁面との間に設けられ、前記後部釘案内部は、前記内部側目地棒本体の前記内部側嵌合溝に対する後面側の壁面の内壁面上に設けられ、前記内部側目地棒本体の後面側の壁面の内壁面の全長に亘って形成した２本の突条間に形成されることを特徴とする。
【００１８】
請求項２に係る発明は、請求項１記載の垂直スリット用の内部側目地棒において、前記内部側目地棒本体は、硬質塩化ビニール樹脂で成形され、前記前部釘案内部は、前記内部側目地棒本体の前面側の壁面上に一体化される軟質塩化ビニール樹脂で構成され、前記後部釘案内部は、前記内部側目地棒本体の後面側の壁面の内壁面上に一体化される軟質塩化ビニール樹脂で構成されていることを特徴とする。
【００１９】
請求項３に係る発明は、請求項１又は請求項２記載の垂直スリット用の内部側目地棒において、前記抜け止め部は、前記内部側目地棒本体の対向する外側壁面からそれぞれ外方へ突出するヒレ状の突条であることを特徴とする。
【００２０】
請求項４に係る発明は、請求項１乃至請求項３の何れか記載の前記内部側目地棒の前部釘案内部側から前記後部釘案内部に向かって釘を打ち込み前記後部釘案内部の後面側の壁面から前記釘の先端部を突出させて前記内部側目地棒を釘付けして成る内部側型枠を、コンクリート構造物の壁部又はその柱際の接合部分に設けられた垂直スリットの内部側嵌合溝に嵌合する工程と、前記垂直スリットの外部側嵌合溝に、外部側目地棒を釘止めして成る外部側型枠を嵌合する工程と、前記内部側型枠と前記外部側型枠との間にコンクリートを打設する工程と、前記コンクリートの固化後に、前記外部側目地棒と共に前記外部側型枠を取り外す工程と、前記コンクリートの固化後に、前記内部側目地棒を残して前記内部側型枠を取り外す工程と、前記内部側目地棒の後面側の壁面から突出する前記釘の先端部を切除する工程とを有することを特徴とする。
【００２１】
請求項５に係る発明は、請求項４記載の垂直スリット施工方法において、前記内部側目地棒を前記内部側型枠に固定する釘は、プラスチック製であることを特徴とする。
【発明の効果】
【００２２】
本発明に係る垂直スリット用の内部側目地棒によれば、内部側型枠と外部側型枠との間に打設されるコンクリートの固化体によって内部側目地棒本体の外側面と抜け止め部とが覆われるので、内部側型枠の取り外し時に抜け止め部が内部側型枠の引っ張り力に抗しうる抵抗体として機能し、垂直スリットの嵌合溝に嵌合した状態で埋め残されたまま内部側型枠を取り外すことができる。
【００２３】
従って、内部側目地棒を取り外す手間が不要となるとともに、内部側目地へのシーリング材やモルタル等の充填を省略することができる。
【００２４】
また、埋め残された内部側目地棒は、平坦な後面側を内部側壁面に露出するため、シーリング材やモルタル等の充填層に比べて仕上がり面がきれいである。
【００２５】
本発明に係る垂直スリット施工方法によれば、内部側型枠の取り外し後に埋め残される内部側目地棒の後面側から内部側壁面側に向かって突出する釘を切断することによって、内部側目地棒を埋め残した状態で、例えば、内部側壁面へのウレタンフォームの吹き付けを行うことが可能となる。
【図面の簡単な説明】
【００２６】
【図１】本発明の一実施形態に係る垂直スリット用の内部側目地棒を示す平面図である。
【図２】本発明の一実施形態に係る垂直スリット用の内部側目地棒を使用するスリット施工法における垂直スリット用の内部側目地棒の嵌合前の状態を示す説明図である。
【図３】図２における垂直スリット用の内部側目地棒を垂直スリットの内部側嵌合溝内に嵌合した状態を示す説明図である。
【図４】図３における内部側型枠内にコンクリートを打設しコンクリートの固化後に垂直スリット用の内部側目地棒を取り付けた内部側型枠を取り外した状態を示す説明図である。
【図５】図４における釘の先端部を切断した状態を示す説明図である。
【図６】図５における内部側壁面内にウレタンを吹き付けた状態を示す説明図である。
【図７】本発明の別の実施形態に係る垂直スリット用の内部側目地棒を示す平面図である。
【図８】本発明の別の実施形態に係る垂直スリット用の内部側目地棒を示す平面図である。
【図９】本発明の別の実施形態に係る垂直スリット用の内部側目地棒を示す平面図である。
【図１０】従来のスリット施工方法を示す説明図である。
【発明を実施するための形態】
【００２７】
以下、本発明を図面に示す実施形態に基づいて説明する。
【００２８】
図１は、本発明の一実施形態に係る垂直スリット用の内部側目地棒１を示す平面図である。図２乃至図５は、本発明の一実施形態に係る垂直スリット用の内部側目地棒１を使用する垂直スリット施工法を示す工程図である。なお、本実施形態では、本発明の要部だけを示し、その他の構成は、図１０に示す従来の工程図を用いて説明する。
【００２９】
図１には、３種類の垂直スリット用の内部側目地棒１が示されている。図１（１）は、例えば、高さが１５ｍｍの小型の垂直スリット用の内部側目地棒１、図１（２）は、例えば、高さが２０ｍｍ又は２５ｍｍの中型の垂直スリット用の内部側目地棒１、図１（３）は、例えば、高さが３０ｍｍの大型の垂直スリット用の内部側目地棒１を示す。各垂直スリット用の内部側目地棒１は、大きさが異なるだけで各構成要素は同じである。
【００３０】
本実施形態に係る垂直スリット用の内部側目地棒１は、例えば、図１０（１）に示す垂直スリット５４の内部側嵌合溝５６内に嵌合されるように、内部側嵌合溝５６の断面形状と略相似形状を為す中空状の内部側目地棒本体２を有する。
【００３１】
中空状の内部側目地棒本体２は、例えば、硬質塩化ビニール樹脂を押出成形によって製造されたもので、断面形状が略台形状の中空状の長尺部材である。
【００３２】
この中空状の内部側目地棒本体２の両側壁面４には、例えば、ヒレ状の突条３がそれぞれの側壁面４から下底側の壁面８と平行して突出するように全長に亘って一体的に形成されている。このヒレ状の突条３は、垂直スリット用の内部側目地棒１が垂直スリット２０の内部側嵌合溝２１内に嵌合された後に打設されるコンクリート５９の固化体によって拘束され、内部側型枠１５を取り外す際に抵抗体となって垂直スリット５４の内部側嵌合溝５６内に嵌合された状態で垂直スリット用の内部側目地棒１を残置させるために機能する。
【００３３】
中空状の内部側目地棒本体２の上底側の壁面５上には、プラスチック製の釘１７を打ち込む際の案内となるＶ溝７を表面の中央部の全長に亘って形成した前部釘案内部６が設けられている。前部釘案内部６は、上底側の壁面５上に軟質塩化ビニール樹脂を一体化させることによって形成されている。上底側の壁面５は、前部釘案内部６の上面側が平坦になるとともに前部釘案内部６の厚みを確保するために、下底側の壁面８に向かって窪むように形成されている。また、前部釘案内部６の上面側は、プラスチック製の釘１７を打ち込んだ際にプラスチック製の釘１７の頭１７ｂが上底側の壁面５から突出する量を小さくするように、両側壁面４の頂部と上底側の壁面５の隅部とを結ぶ線分５ａより下底側の壁面８側へ下げてある。
【００３４】
中空状の内部側目地棒本体２の下底側の壁面８の内壁面上には、プラスチック製の釘１７を打ち込むための後部釘案内部１０が設けられている。後部釘案内部１０は、下底側の壁面８の内壁面の全長に亘って形成した２本の突条９間に軟質塩化ビニール樹脂を一体化させることによって形成されている。２本の突条９は、後部釘案内部１０の厚みを確保するために必要な高さを備えている。
【００３５】
前部釘案内部６及び後部釘案内部１０は、中空状の内部側目地棒本体２を押出成形によって製造する際に同時に一体的に製造される。
【００３６】
次に、図１乃至図６、図１０に基づいて、本実施形態に係る垂直スリット用の内部側目地棒１を使用する垂直スリット施工法を説明する。
【００３７】
先ず、本実施形態においても、施工前に、図２に示すように、本実施形態に係る垂直スリット用の内部側目地棒１をプラスチック製の釘１７によって内部側型枠１５に止め付ける。また、図１０（１）に示すように、外部側型枠５０に木製の外部側目地棒５１を釘止めする。
【００３８】
次に、図１０（１）に示すように、垂直スリット５４の外部側嵌合溝５５に外部側目地棒５１を嵌合し、外部側型枠５０のセパレータ５７を利用してＶ字金具５８にて垂直スリット５４を固定する。
【００３９】
次に、図２及び図３に示すように、垂直スリット５４の内部側嵌合溝５６に内部側型枠１５に止め付けられた本実施形態に係る垂直スリット用の内部側目地棒１を嵌合する。
【００４０】
次に、図３及び図１０（３）に示すように、外部側型枠５０と内部側型枠１５との間にコンクリート５９を打設する。
【００４１】
次に、図４に示すように、コンクリート５９の固化後に外部側型枠５０と内部側型枠１５とを解体する。
【００４２】
この際、中空状の内部側目地棒本体２の両側壁面４に設けたヒレ状の突条３が、コンクリート５９の固化体によって拘束され、内部側型枠１５を取り外す際に抵抗体となって垂直スリット５４の内部側嵌合溝５６内に嵌合された状態で垂直スリット用の内部側目地棒１が残置される。
【００４３】
そのため、中空状の内部側目地棒本体２の上底側の壁面５上に形成された前部釘案内部６の表面側に設けたＶ溝７から打ち込まれたプラスチック製の釘１７が、本実施形態に係る垂直スリット用の内部側目地棒１に残され、内部側の壁面６４側に先端部１７ａが突出する。
【００４４】
次に、図５に示すように、内部側の壁面６４側に突出するプラスチック製の釘１７の先端部１７ａをハンマー等で折ったり、工具で切断したりして取り除く。これによって、プラスチック製の釘１７の突出を無くすことができる。
【００４５】
次に、図１０（５）に示すように、垂直スリット５４の外部側嵌合溝５５を含む外部側目地部６０内にシーリング材６１を充填する。
【００４６】
最後に、図６及び図１０（７）に示すように、内部側の壁面６４にウレタンフォーム６５を吹き付ける。
【００４７】
以上によって、スリット目地を施工することができる。
【００４８】
本実施形態によれば、垂直スリット用の内部側目地棒１が、内部側型枠１５と外部側型枠５２との間に打設されるコンクリート５９の固化体によって内部側目地棒本体２の外側面４とヒレ状の突条３とが覆われるので、内部側型枠１５の取り外し時にヒレ状の突条３が内部側型枠１５の引っ張り力に抗しうる抵抗体として機能し、垂直スリット５４の内部側嵌合溝５６に嵌合した状態で埋め残されたまま内部側型枠１５を取り外すことができる。
【００４９】
従って、従来のように内部側目地棒を取り外す手間が不要となるとともに、内部側目地へのシーリング材の充填を省略することができる。
【００５０】
また、埋め残された内部側目地棒１は、平坦な後面を形成する下底側の壁面８側を内部側の壁面６４に露出するため、図１０（６）におけるシーリング材やモルタル等６３の充填層に比べて仕上がり面がきれいである。
【００５１】
また、本実施形態によれば、内部側型枠１５の取り外し後に埋め残される内部側目地棒１の後面を形成する下底側の壁面８側から内部側の壁面６４側に向かって突出するプラスチック製の釘１７の先端部１７ａを切断することによって、内部側目地棒１を埋め残した状態で、例えば、内部側の壁面６４へのウレタンフォーム６５の吹き付けを行うことが可能となる。
【００５２】
従って、従来の施工法に比して、手間とコストとが大幅に削減される上に、仕上がりがきれいであるという利点がある。
【００５３】
なお、上記実施形態では、釘１７をプラスチック製にした場合について説明したが、本発明はこれに限らず、金属製の釘でも良い。
【００５４】
また、内部側目地棒本体２を硬質塩化ビニール樹脂で構成する場合について説明したが、本発明はこれに限らず、その他の合成樹脂や軽金属で構成しても良い。
【００５５】
また、前部釘案内部６及び後部釘案内部１０を軟質塩化ビニール樹脂で構成した場合について説明したが、本発明はこれに限らず、これらを省略することも可能である。
【００５６】
また、ヒレ状の突条３を設けた場合について説明したが、本発明はこれに限らず、コンクリート５９に埋設された際に抜け止め機能が発揮できる形状構造をしておれば良く、例えば、複数のヒレ状の突条にするとか、例えば、図７乃至図９に示すように、複数の凹凸形状や波形にするなどの構造体としても良い。
【００５７】
図７は、断面三角形状の突条３ａにした抜け止め機構を示し、図８は、断面半円形状の突条３ｂにした抜け止め機構を示し、図９は、両側壁面４の途中に内方又は外方に突出する段差３ｃを設けた抜け止め機構を示す。
【００５８】
また、ヒレ状の突条３を下底側の壁面８と平行となるように設けた場合について説明したが、本発明はこれに限らず、下底側の壁面８に対して平行にしなくても良い。
【００５９】
また、略台形状の中空体について説明したが、本発明はこれに限らず、例えば、矩形状にしても良い。
【符号の説明】
【００６０】
１  垂直スリット用の内部側目地棒
２  内部側目地棒本体
３  ヒレ状の突条
４  側面
５  上底側の壁面
６  前部釘案内部
７  Ｖ溝
８  下底側の壁面
９  突条
１０  後部釘案内部
１５  内部側型枠
１７  プラスチック製の釘
１７ａ  釘の先端部
５４  垂直スリット
５６  内部側嵌合溝
５９  コンクリート
【図１】
0005462015.tif 000002
【図２】
0005462015.tif 000003
【図３】
0005462015.tif 000004
【図４】
0005462015.tif 000005
【図５】
0005462015.tif 000006
【図６】
0005462015.tif 000007
【図７】
0005462015.tif 000008
【図８】
0005462015.tif 000009
【図９】
0005462015.tif 000010
【図１０】
0005462015.tif 000011